(57)【要約】【課題】  短時間に、かつ、簡単に物品を包装用部材に収納して、送付物を送付先に発送でき、また、送付先の受取人が、送付物を開封して物品を取り出した後、送られてきた包装用部材に物品を簡単に収納して、返送先に送付することができる簡易包装体用部材セット、それに用いる簡易包装用粘着ラベル、及びこれらを用いた物品の配送システムを提供する。【解決手段】  簡易包装用台紙の台紙部が重ねられた状態で連結させるための折り曲げ可能な連結部位を、基材の周辺に設け、基材及び連結部位の裏面に粘着剤層を設けていることを特徴とする簡易包装用粘着ラベル。少なくとも２つの台紙部が重ねられた簡易包装用台紙と、簡易包装用粘着ラベルからなることを特徴とする簡易包装体用部材セット。【選択図】  図１０
2009137604.tif 000002
【特許請求の範囲】
【請求項１】
簡易包装用台紙の台紙部が重ねられた状態で連結させるための折り曲げ可能な連結部位を、基材の周辺に設け、基材及び連結部位の裏面に粘着剤層を設けていることを特徴とする簡易包装用粘着ラベル。
【請求項２】
基材の表面に送り先の宛名が記載されている請求項１に記載の簡易包装用粘着ラベル。
【請求項３】
前記粘着剤層の表面に剥離シートを積層し、剥離シートの粘着剤層を積層していない表面に送付先の宛名が記載され、前記基材の表面に返送先の宛名が記載されている請求項１に記載の簡易包装用粘着ラベル。
【請求項４】
少なくとも２つの台紙部が重ねられた簡易包装用台紙と、請求項１〜３の何れかに記載の簡易包装用粘着ラベルからなることを特徴とする簡易包装体用部材セット。
【請求項５】
少なくとも２つの台紙部が重ねられた簡易包装用台紙が、一枚の台紙部を折り曲げて重ねられたものである請求項４に記載の簡易包装体用部材セット。
【請求項６】
簡易包装用台紙と、収納物品と、請求項１〜３の何れかに記載の簡易包装用粘着ラベルとを一体物とした送付物を、送付先に送付する工程と、送付物から取り出した簡易包装用台紙に収納物品を入れ、少なくとも２つの台紙部が重ねられた簡易包装用台紙の一方の台紙部に、請求項１〜３の何れかに記載の簡易包装用粘着ラベルを貼付し、連結部位を折り曲げて、他方の台紙部に貼付することにより、簡易包装用台紙を連結して簡易包装体を作成し、該簡易包装体を返送先に送付する工程からなることを特徴とする物品の配送システム。
【発明の詳細な説明】
【技術分野】
【０００１】
本発明は、物品の配送に用いることが出来る簡易包装用粘着ラベル及び簡易包装体用部材セット、並びに、それらを用いた物品の配送システムに関する。
【背景技術】
【０００２】
従来、ＣＤ、ＤＶＤなどの物品のレンタル方法として、ＣＤ、ＤＶＤなどの物品を送付先に送り、送付先の受取人がＣＤ、ＤＶＤなどの物品を使用した後、ＣＤ、ＤＶＤなどの物品を送付元に送り返すことが行われている。
このＣＤ、ＤＶＤなどの物品の包装用部材として、従来、厚みの薄いポリ袋が使用されており、送付元では物品をポリ袋に収納して封じ、その送付物（送付する物品）を送付先に送り、送付先の受取人は、送付物のポリ袋を開封して、物品を取り出し、ＣＤ、ＤＶＤなどの物品を使用した後、送付物のポリ袋に、再び物品を収納して封じ、返送物を送付元に送り返すことが行われている。
【０００３】
しかし、厚みの薄いポリ袋は、袋状になっていることや、腰がないことなどのために、物品を収納する際に簡単に収納することが出来ず、手間がかかっていた。
一方、四辺形の単葉カード群、複数折りカードを定形郵便物として郵送するために、それらのカードをカバーする役割を果たす２つのカバーカードを、カードの最上部と最下部に配置して、それらのカードを挟み、機械によって、２つのカバーカードの四辺の全周囲をシール・シートでつないで、包み込み、郵送することが提案されている（特許文献１参照。）。
【０００４】
しかし、２つのカバーカードの四辺の全周囲をシール・シートでつなぐことは、手間がかかり、特に機械を用いないでこの作業をするには、手間がかかる問題があった。また、この提案は、カードの送付についてのみ対象としており、カードの送返送の双方向の発送については、全く考慮されていない。
特に、送付元で大量の物品を発送する場合には、出来るだけ短時間に、かつ、簡単に物品を包装用部材に収納して、大量の送付物を発送することが要望されていた。また、ＣＤ、ＤＶＤなどのレンタルの場合には、返送元は個人が殆んどであり、ＣＤ、ＤＶＤなどを簡単に包装でき、返送できることが要望されていた。
【０００５】
【特許文献１】特開平６−１０６８８０号公開公報
【発明の開示】
【発明が解決しようとする課題】
【０００６】
本発明は、上記従来技術の状況に鑑みてなされたものであり、短時間に、かつ、簡単に物品を包装用部材に収納して、送付物を送付先に発送でき、また、送付先の受取人が、送付物を開封して物品を取り出した後、送られてきた包装用部材に物品を簡単に収納して、返送先に送付することができる簡易包装体用部材セット、それに用いる簡易包装用粘着ラベル、及びこれらを用いた物品の配送システムを提供することを目的とする。
【課題を解決するための手段】
【０００７】
本発明者らは、上記課題を解決するために、鋭意検討した結果、特定の簡易包装用台紙と、収納物品と、特定の簡易包装用粘着ラベルとを一体物とした送付物を送付先に送付し、送付先では、少なくとも２つの台紙部が重ねられた簡易包装用台紙の一方の台紙部に、特定の簡易包装用粘着ラベルを貼付し、連結部位を折り曲げて、他方の台紙部に貼付することにより、簡易包装用台紙を連結して簡易包装体を作成することにより、上記課題が解決できることを見出し、この知見に基づいて本発明を完成するに至った。
【０００８】
すなわち、本発明は、簡易包装用台紙の台紙部が重ねられた状態で連結させるための折り曲げ可能な連結部位を、基材の周辺に設け、基材及び連結部位の裏面に粘着剤層を設けていることを特徴とする簡易包装用粘着ラベルを提供するものである。
また、本発明は、上記簡易包装用粘着ラベルにおいて、基材の表面に送り先の宛名が記載されている簡易包装用粘着ラベルを提供するものである。
また、本発明は、上記簡易包装用粘着ラベルにおいて、前記粘着剤層の表面に剥離シートを積層し、剥離シートの粘着剤層を積層していない表面に送付先の宛名が記載され、前記基材の表面に返送先の宛名が記載されている簡易包装用粘着ラベルを提供するものである。
【０００９】
また、本発明は、少なくとも２つの台紙部が重ねられた簡易包装用台紙と、請求項１〜３の何れかに記載の簡易包装用粘着ラベルからなることを特徴とする簡易包装体用部材セットを提供するものである。
また、本発明は、上記簡易包装体用部材セットにおいて、少なくとも２つの台紙部が重ねられた簡易包装用台紙が、一枚の台紙部を折り曲げて重ねられたものである簡易包装体用部材セットを提供するものである。
【００１０】
さらに、本発明は、簡易包装用台紙と、収納物品と、上記記載の簡易包装用粘着ラベルとを一体物とした送付物を、送付先に送付する工程と、送付物から取り出した簡易包装用台紙に収納物品を入れ、少なくとも２つの台紙部が重ねられた簡易包装用台紙の一方の台紙部に、上記記載の簡易包装用粘着ラベルを貼付し、連結部位を折り曲げて、他方の台紙部に貼付することにより、簡易包装用台紙を連結して簡易包装体を作成し、該簡易包装体を返送先に送付する工程からなることを特徴とする物品の配送システムを提供するものである。
【発明の効果】
【００１１】
本発明の簡易包装体用部材セットを用いることにより、短時間に、かつ、簡単に物品を包装用部材に収納して、送付物を送付先に発送でき、また、送付先の受取人が、送付物を開封して物品を取り出した後、送られてきた包装用部材に物品を簡単に収納して、返送先に送付することができる。
【発明を実施するための最良の形態】
【００１２】
本発明の簡易包装用粘着ラベルは、簡易包装用台紙の台紙部が重ねられた状態で連結させるために用いることができるものであり、簡易包装用台紙の台紙部が重ねられた状態で連結させるための折り曲げ可能な連結部位を、基材の周辺に設け、基材及び連結部位の裏面に粘着剤層を設けていることを特徴とする。
簡易包装用粘着ラベルの基材としては、高分子樹脂を主成分とするプラスチックのシートや、繊維を主成分とする紙から構成されているシートが挙げられる。プラスチックシートとしては、種々のプラスチックシートが使用でき、例えば、ポリエチレン樹脂、ポリプロピレン樹脂などのポリオレフィン樹脂、ポリエチレンテレフタレート樹脂、ポリエチレンナフタレート樹脂、ポリブチレンテレフタレート樹脂などのポリエステル樹脂、ポリ塩化ビニル樹脂、ポリスチレン樹脂、ポリカーボネート樹脂などの各種合成樹脂のシートが挙げられる。プラスチックシートは、単層であってもよいし、同種又は異種の２層以上の多層であってもよい。
【００１３】
紙としては、種々の紙が挙げられ、木材パルプ、ガラス繊維、合成繊維などから選ばれる１種又は２種以上からなる上質紙、グラシン紙、コート紙、ポリエチレン樹脂やポリプロピレン樹脂などの合成樹脂をラミネートしたラミネート紙、不織布などが挙げられる。
基材の形状としては、特に制限なく、三角形、四角形、五角形、六角形などの多角形や、円、楕円などが挙げられる。
基材の一方の表面には印字層があることが好ましい。印字層としては既存のものを広く利用することができ、例えばコート層、感熱発色層、感圧発色層、インクジェットなどのインク受理層などを挙げることができる。
基材の厚みは、特に制限ないが、プラスチック製などである場合は、通常２５〜２０００μｍが好ましく、５０〜５００μｍがより好ましい。また、シートが紙製である場合、通常坪量が３０〜１０００ｇ／ｍ２が好ましく、５０〜６００ｇ／ｍ２がより好ましい。
【００１４】
基材の周辺に設けられる連結部位は、基材に対して折り曲げ可能なものであり、基材とは別に作成したものを基材に接着して設けてもよいし、基材と一体的に設けてもよい。
基材の周辺に設けられる連結部位の数は、少ない方が連結作業が簡単であり好ましい。好ましい連結部位の数は、１〜８であり、より好ましくは２〜５であり、さらに好ましくは２〜３である。
【００１５】
連結部位の形状は、特に制限ないが、簡易包装用台紙の一方の台紙部に、上記記載の簡易包装用粘着ラベルを貼付し、連結部位を折り曲げて、他方の台紙部に粘着固定するために、ある程度の幅を有するものが好ましい。この幅は、好ましくは５ｍｍ以上であり、より好ましくは１０ｍｍ以上である。また、この幅の上限は、特に制限ないが、長すぎると構成部材の無駄になるし、連結作業もやり難くなることがある。好ましい幅は、５０ｍｍ以下であり、より好ましくは３０ｍｍ以下であり、さらに好ましくは２０ｍｍ以下である。
連結部位の材質は、特に制限なく、プラスチック、紙、金属など種々の材質が挙げられるが、基材の材質と同様な材質が好ましく挙げられる。
【００１６】
本発明の粘着剤層に用いられるものとしては、既存のものを広く利用することができ、アクリル系、ゴム系、シリコーン系などの粘着剤を挙げることができる。
さらに、基材と接着していない粘着剤層の面には、剥離シートが積層されていることが好ましい。剥離シートとしては既存のものを広く利用することができ、高分子樹脂を主成分とするプラスチックのシートや、繊維を主成分とする紙のシートなどを挙げることができ、具体的には基材で例示したものの中から適宜選択して用いることができる。さらに必要によりそれらのシートに剥離剤で表面処理することもできる。ここで用いる剥離剤としては、既存のものを広く利用することができ、シリコーン系、ふっ素樹脂系、長鎖アルキル系、ゴム系などの剥離剤を挙げることができる。
【００１７】
本発明の簡易包装用粘着ラベルを貼付する簡易包装用台紙は、少なくとも２つの台紙部からなる。
台紙部の形状は、特に制限なく、三角形、四角形、五角形、六角形などの多角形や、円、楕円などが挙げられるが、通常四角形が好ましい。
２つの台紙部は、一部が連結していることが好ましい。例えば、台紙部の形状が四角形である場合、四角形の一辺のみが連結し、２つの台紙部は連結した辺の周辺で折り曲げ可能になっていることが好ましい。
簡易包装用台紙は、１枚の台紙部を約半分に折り曲げて２つの台紙部が重ねられるようにしたものが好ましい。
台紙部の大きさは、収納する物品の大きさに応じて適宜選定すればよい。
複数の台紙部は、重ねられた状態で、形状及び大きさが同じか、ほぼ同じであることが好ましい。なお、複数の台紙部は、重ねられた状態で、形状及び大きさが異なってもよいが、大きい方の台紙部において複数の台紙部を重ねたときにはみ出す部分を折り曲げて同じにすることもできる。
【００１８】
台紙部の材質としては、高分子樹脂を主成分とするプラスチックのシートや、繊維を主成分とする紙から構成されているシートが挙げられる。プラスチックシートとしては、種々のプラスチックシートが使用でき、例えば、ポリエチレン樹脂、ポリプロピレン樹脂などのポリオレフィン樹脂、ポリエチレンテレフタレート樹脂、ポリエチレンナフタレート樹脂、ポリブチレンテレフタレート樹脂などのポリエステル樹脂、ポリ塩化ビニル樹脂、ポリスチレン樹脂、ポリカーボネート樹脂などの各種合成樹脂のシートが挙げられる。プラスチックシートは、単層であってもよいし、同種又は異種の２層以上の多層であってもよい。
紙としては、種々の紙が挙げられ、木材パルプ、ガラス繊維、合成繊維などから選ばれる１種又は２種以上からなる上質紙、グラシン紙、コート紙、ポリエチレン樹脂やポリプロピレン樹脂などの合成樹脂をラミネートしたラミネート紙、不織布などが挙げられる。
【００１９】
台紙部の厚みは、特に制限ないが、プラスチック製などである場合は、通常２５〜２０００μｍが好ましく、５０〜５００μｍがより好ましい。また、シートが紙製である場合、通常坪量が３０〜１０００ｇ／ｍ２が好ましく、５０〜６００ｇ／ｍ２がより好ましい。
なお、台紙部の周辺には、簡易包装用台紙での収納物品の保持を確実にするために、保持部位を設けることが好ましい。保持部位は、１つ設けてもよいし、２つ以上設けてもよい。
保持部位の材質、及び厚みは、台紙部の材質、及び厚みと同様なものが好ましい。
【００２０】
また、本発明の物品の配送システムは、前記簡易包装用台紙と、収納物品と、上記簡易包装用粘着ラベルとを一体物とした送付物を、送付先に送付する工程を含む。ここで、一体物とは、１個単位の送付物にすることを言い、各構成物は粘着固定されていなくてもよい。一体物の好ましい具体例としては、収納物品を挟んだ簡易包装用台紙に、上記簡易包装用粘着ラベルを載せるか又は挟み込んで、それらの外側の全体をラッピングフィルムで封じたものが挙げられる。
ここで、収納物品とは、送付する対象物のことを言い、具体的には後述するＣＤ、ＤＶＤ、雑誌、書籍、書類などが挙げられる。また、送付物とは、収納物品を内部に収納し、ラッピングフィルム等で包装して送付できる状態になった一体物のことを言う。
【００２１】
簡易包装用粘着ラベルは、粘着剤層の表面を剥離シートで覆っていることが好ましい。この送付物において、収納物品は、簡易包装用台紙の間に挟まれて収納されるのが好ましい。また、この送付物において、簡易包装用粘着ラベルは、簡易包装用台紙の外側に収納されていてもよいし、簡易包装用台紙の間に挟まれた状態であってもよい。簡易包装用粘着ラベルが簡易包装用台紙の間に挟まれた状態である場合、送付先の宛名は、簡易包装用台紙の外側に表示することが好ましい。
【００２２】
また、本発明の物品の配送システムは、送付物から取り出した簡易包装用台紙に収納物品を入れ、少なくとも２つの台紙部が重ねられた簡易包装用台紙の一方の表面にある台紙部に、簡易包装用粘着ラベルを貼付し、連結部位を折り曲げて、他方の表面にある台紙部に貼付することにより、簡易包装用台紙を連結して簡易包装体を作成し、該簡易包装体を返送先に送付する工程を含む。
この返送工程は、物品のレンタルの送返送システムにおいて、有用である。
送付物から取り出した簡易包装用台紙を、返送用の簡易包装体の簡易包装用台紙に適用でき、新たに簡易包装用台紙を用意する必要がないので、無駄を省くことができ、効率的であり、好ましい。
【００２３】
次に、本発明の簡易包装用粘着ラベルの具体例を、図に基づいて説明する。
図１には、簡易包装用粘着ラベル１１の一例の基材側から見た平面図が示されている。長方形の基材１の三辺には、連結部位２がそれぞれ１つづつ一体的に設けられている。この簡易包装用粘着ラベル１１は、１枚のシート（例えば、坪量８１．４ｇ／ｍ２の紙）の裏面に所定形状の粘着剤層を設けた後、その粘着剤層を覆うように剥離シートを積層し、基材１及び連結部位２が一体になるような所定形状に切断することにより、製造することができる。長方形の基材１の大きさは、重ねられた簡易包装用台紙１２を連結することが出来るものであれば、特に制限ないが、簡易包装用台紙１２の大きさよりも小さい方が好ましい。
【００２４】
連結部位２は、基材１の各辺の全長に設けてもよいし、各辺の一部に設けてもよい。連結部位２の大きさは、簡易包装用台紙１２の一方の台紙部に、簡易包装用粘着ラベル１１を貼付し、連結部位２を折り曲げて、他方の表面にある台紙部に粘着固定することができる大きさであれば特に制限ないが、連結部位２の長さは、２０ｍｍ〜２００ｍｍが好ましく、３０ｍｍ〜１００ｍｍがより好ましく、連結部材の幅は、５ｍｍ〜５０ｍｍが好ましく、１０ｍｍ〜３０ｍｍがより好ましい。
【００２５】
これらの連結部位２は、折り曲げ線３により折り曲げ可能になっている。なお、折り曲げ線３は、設けなくてもよいが、設けることにより、連結部位２を折り曲げ易くすることができる。折り曲げ線３は、折り曲げを容易にするものであれば、特に制限ないが、連結部位２を折り曲げることにより形成したものであってもよいし、幅の細いローラなどを押し当てて形成した溝であってもよい。
さらに折り曲げ線３には、返送された簡易包装体を開封し易くする易開封手段を設けてもよい。易開封手段としては、例えば折り曲げ線３のどちらか一方の末端に切り込みや切り欠きを設けたり、非連続的な打抜きであるミシン目やパンチングなどを挙げることができる。
【００２６】
図２は、図１の基材１及び連結部位２の裏面に粘着剤層４が設けられている状態を示した平面図である。
粘着剤層４は、基材１の全面に設けてもよいし、また、基材１の一部に設けてもよい。また、粘着剤層４は、連結部位２の全面に設けてもよいし、また、連結部位２の一部に設けてもよい。
なお、折り曲げ線３に沿って粘着剤層４を設けない帯状部を形成することが好ましい。粘着剤層４を設けない帯状部は、簡易包装用台紙１２が簡易包装用粘着ラベル１１により連結された際に、収納物品に接触する可能性がある部分であり、収納物品に粘着剤の付着を防ぐために、粘着剤層４を設けない帯状部を形成することが好ましい。
【００２７】
粘着剤層４を設けない帯状部として、粘着剤層の上に印刷や粉末などを施して非粘着部を設けたものも変形例として挙げることができる。さらに、粘着剤層４を設けない帯状部を設けることにより、返送された簡易包装体を開封する時に、折り曲げ線３に沿ってペーパーナイフ等を差し込み分離する際に、ペーパーナイフ等に粘着剤の付着を防ぐことができる。
粘着剤層４を設けない帯状部の幅は、収納物品の厚さに合わせて選定すればよいが、通常収納物品の厚さよりも０〜５ｍｍ長いものであることが好ましく、１〜３ｍｍ長いものであることがより好ましい。
【００２８】
図３は、図２の粘着剤層４の表面に剥離シート５及び剥離シート６を積層した状態を示す平面図である。
剥離シート５は、基材１の裏面に設けられた粘着剤層４を覆うように積層され、剥離シート６は、連結部位２の裏面に設けられた粘着剤層４を覆うように積層されている。剥離シート５と剥離シート６は、一体的に設けてもよいし、別々に設けてもよいが、一体的に設けることが製造効率がよいので好ましい。
【００２９】
なお、基材１の裏面に設けられた粘着剤層４を覆う剥離シート５と連結部位２の裏面に設けられた粘着剤層４を覆う剥離シート６は、別々に剥離することができるように、切り込み線７を入れて切断させておくことが好ましい。基材１の裏面に設けられた粘着剤層４を覆う剥離シート５を剥離して、簡易包装用台紙１２の一方の表面にある台紙部に、簡易包装用粘着ラベル１１を貼付し、その後、連結部位２の裏面に設けられた粘着剤層４を覆う剥離シート６を剥離して、連結部位２を折り曲げて、他方の表面にある台紙部に粘着固定することにより、スムーズに簡易包装用粘着ラベル１１を簡易包装用台紙１２に貼付することができる。
【００３０】
図４には、簡易包装用粘着ラベルの他の一例の基材側から見た平面図が示されている。長方形の基材１の二辺には、連結部位２がそれぞれ１つづつ一体的に設けられている。この簡易包装用粘着ラベル１１は、図１の簡易包装用粘着ラベル１１の左半分を切り取ったものであり、基材１の裏面に設けられている粘着剤層４や、その粘着剤層４の表面に積層されている剥離シート５は、図２及び図３のものと同様である。
【００３１】
次に、簡易包装用粘着ラベル１１を貼付する簡易包装用台紙１２を、図に基づいて説明する。
図５には、簡易包装用台紙１２の一例が折り重ねられていない状態の平面図で示されている。
簡易包装用台紙１２は、台紙部８と他の台紙部８が折り曲げ線９で一体的に連結している。この簡易包装用台紙１２は、１枚のシート（例えば、坪量２００ｇ／ｍ２の紙）を、台紙部の所定形状に、又は台紙部と保持部位が一体になるような所定形状に切断することにより、製造することができる。折り曲げ線９は、１本であってもよいし、２本以上であってもよい。折り曲げ線９が２本以上あると、収納物品の厚さに応じて、適宜必要な折り曲げ線９を折ることにより、効率よく収納することができる。
【００３２】
さらに、折り曲げ線９には、返送された簡易包装体を開封し易くする易開封手段を設けてもよい。易開封手段としては、例えば折り曲げ線９のどちらか一方の末端に切り込み１５や切り欠き１６を設けたり、非連続的な打抜きである打ち抜き部と非打ち抜き部を有するミシン目１８やパンチング１７などを挙げることができる。
台紙部８にも易開封手段を設けてもよい。ミシン目１８やパンチング１７などの易開封手段を略平行に２つ設けると、２つの易開封手段を切断しながらその間の基材を剥ぎ取りながら開封することができる。台紙部８に設ける２つの易開封手段のうち１つを、折り曲げ線９に設けるようにしてもよい。
【００３３】
次に、本発明の物品の配送システムにおける送付物の送付工程の一例を、図面に基づいて説明する。
簡易包装用台紙１２を用いて収納物品１３を収納し、簡易包装用台紙１２と、収納物品１３と、簡易包装用粘着ラベル１１とを一体物とした送付物が、図８及び図９に示されている。
図８には、簡易包装用台紙１２を折り曲げ線９で折り曲げて、２つの台紙部の間にＣＤ又はＤＶＤ１３を挟むことを示した斜視図が示されている。ＣＤ又はＤＶＤ１３などの物品を２つの台紙部８の間に挟むだけで、収納できるので、簡単に包装することができる。ＣＤ等１３の記録面を保護するために、フィルムを袋状にしたＣＤケース又はＤＶＤケース１９にＣＤ又はＤＶＤ１３を挿入した後に、２つの台紙部８に挟むようにするのが好ましい。折り曲げ線９は、折り曲げを容易にするものであれば、特に制限ないが、台紙部８を折り曲げることにより形成したものであってもよいし、幅の細いローラなどを押し当てて形成した溝であってもよい。
【００３４】
図９の左図は、図８で示した２つの台紙部８でＣＤ又はＤＶＤ１３を挟んだ後、２つの台紙部８を折り重ね、さらに台紙部８の表面に、図３に示した簡易包装用粘着ラベル１１を半分折にしたものを、剥離シートの粘着剤層を積層していない表面に印刷された送付先の宛名を上にして置き、それらの外側の全体をラッピングフィルム１４で封じた送付物が平面図として記載されている。図９の右図は、図９の左図の送付物の矢印方向Ａに切断した場合の送付物の側面断面図の模式図である。
【００３５】
簡易包装用粘着ラベル１１の剥離シートの表面に、送付先の宛名や住所等を記載しておくと、台紙部８の表面に、送付先の宛名を上にして置き、それらの全体を覆うようにラッピングフィルム１４を被せて、封じるだけで、送付先の宛名付き送付物を容易に作成することができる。
ラッピングフィルム１４は、公知のフィルムを用いることができ、例えばポリエチレン、ポリプロピレン、ポリ塩化ビニル、ポリエチレンテレフタレートなどの高分子樹脂からなるフィルムを挙げることができる。
ラッピングフィルム１４で封じる方法は、公知の方法を用いることができる。例えば、接着剤による密封、ヒートシールによる密封などが挙げられる。
【００３６】
次に、他の簡易包装用台紙１２について、図面に基づいて説明する。
図６には、簡易包装用台紙１２の他の一例が折り重ねられていない状態の平面図が示されている。
簡易包装用台紙１２は、台紙部８と他の台紙部８が折り曲げ線９で一体的に連結している点では、図５の簡易包装用台紙１２と同じであるが、さらに、一方の台紙部８の側辺には、折り曲げ可能な保持部位１０が一体的に設けられている。折り曲げ可能な保持部位１０の数は、１つであってもよいし、２つ以上であってもよい。この保持部位１０は、折り曲げ線９で折り曲げることにより、ＣＤ又はＤＶＤ１３などの物品を簡易包装用台紙１２から落ちないように保持することができるので、好ましい。
【００３７】
折り曲げ可能な保持部位１０は、台紙部８の側辺の全長に設けてもよいし、台紙部８の側辺の一部に設けてもよい。
折り曲げ可能な保持部位１０の幅は、ＣＤ又はＤＶＤ１３などの物品を簡易包装用台紙１２から落ちないように保持することができるのであれば、特に制限ないが、図７に示すように、台紙部８の幅と同じか、又はそれ以下にすることが出来る。なお、折り曲げ可能な保持部位１０の幅が台紙部８の幅よりも大きくてもよいが、この場合は、保持部位１０の台紙部８の幅を超える部分を折り曲げて、台紙部８の裏側に接触させることが好ましい。この場合、簡易包装用粘着ラベル１１を一方の台紙部８の上部表面に貼付し、１つの連結部位２で他の台紙部８の上部表面と保持部位１０の他の台紙部８の裏側に接触した部分の両方に貼付して粘着固定させることにより、基材の周辺に設ける連結部位の数が１つの簡易包装用粘着ラベルで、連結がしっかりとした簡易包装体を作成することができる。
折り曲げ可能な保持部位１０の材質は、特に制限なく、プラスチック、紙、金属など種々の材質が挙げられるが、台紙部８の材質と同様な材質が好ましく挙げられる。
【００３８】
次に、本発明の物品の配送システムにおける簡易包装体の作成、送付工程の一例を、図面に基づいて説明する。
図１０には、図６に示した簡易包装用台紙１２の台紙部８と保持部位１０を折り曲げ線９で折り曲げて、ＣＤ又はＤＶＤ１３などの物品を収納した状態を示す斜視図が示されている。ＣＤ又はＤＶＤ１３などの物品を２つの台紙部８の間に挟むだけで、収納できるので、簡単に包装することができる。折り曲げ線９は、折り曲げを容易にするものであれば、特に制限ないが、台紙部８や保持部位１０を折り曲げることにより形成したものであってもよいし、幅の細いローラなどを押し当てて形成した溝であってもよい。
【００３９】
図１１の左図は、図１０で示した２つの台紙部８でＣＤ又はＤＶＤ１３を挟んだ後、２つの台紙部８を折り重ね、さらに台紙部８の表面に、図１に示した簡易包装用粘着ラベル１１を、剥離シートを剥離した後、返送先の宛名を上にして、一方の台紙部８の上部表面に貼付し、連結部位２の剥離シートを剥離して、連結部位２を折り曲げて点線で示すように裏側の他の台紙部８の上部表面に貼付して粘着固定させて得られる簡易包装体の返送物が平面図として記載されている。図１１の右図は、図１１の左図の返送物の矢印方向Ａに切断した場合の返送物の側面断面図の模式図である。簡易包装用粘着ラベル１１の基材１の表面に、返送先の宛名や住所等を記載しておくと、台紙部８の表面に、簡易包装用粘着ラベル１１を貼付するだけで、返送先の宛名付き返送物を容易に作成することができる。
【００４０】
次に、本発明の物品の配送システムにおける簡易包装体の作成、送付工程の他の一例を、図面に基づいて説明する。
図１２には、図７に示した簡易包装用台紙１２の保持部位１０を折り曲げ線９で折り曲げて、台紙部８と保持部位１０の間にＣＤ又はＤＶＤ１３を挟み、次に、もう一方の台紙部８を折り曲げ線９で折り曲げて、ＣＤ又はＤＶＤ１３などの物品を収納した状態を示す斜視図が示されている。ＣＤ又はＤＶＤ１３などの物品を保持部位１０と２つの台紙部８の間に挟むだけで、収納できるので、簡単に包装することができる。折り曲げ線９は、折り曲げを容易にするものであれば、特に制限ないが、台紙部８や保持部位１０を折り曲げることにより形成したものであってもよいし、幅の細いローラなどを押し当てて形成した溝であってもよい。
台紙部８と保持部位１０の折り曲げ線９は、それぞれ１本であってもよいし、２本以上であってもよい。
【００４１】
図１３の左図は、図１２で示した、幅の大きい保持部位１０と２つの台紙部８でＣＤ又はＤＶＤ１３を挟んだ後、２つの台紙部８を折り重ね、さらに台紙部８の表面に、図４に示した簡易包装用粘着ラベル１１を、剥離シートを剥離した後、返送先の宛名を上にして、一方の台紙部８の上部表面に貼付し、連結部位２の剥離シートを剥離して、連結部位２を他の台紙部８の上部表面に貼付して粘着固定させて得られる返送物が平面図として記載されている。
【００４２】
この簡易包装用台紙１２は、幅の大きい保持部位１０を有しているので、台紙部８の二辺のみを簡易包装用粘着ラベル１１で連結するだけで、収納物品を確実に収納することが出来るので、好ましい。
図１３の右図は、図１３の左図の返送物の矢印方向Ａに切断した場合の返送物の側面断面図の模式図である。簡易包装用粘着ラベル１１の基材１の表面に、返送先の宛名や住所等を記載しておくと、台紙部８の表面に、簡易包装用粘着ラベル１１を貼付するだけで、返送先の宛名付き返送物を容易に作成することができる。
【産業上の利用可能性】
【００４３】
本発明は、種々の物品の配送システムに使用することができる。
【図面の簡単な説明】
【００４４】
【図１】図１は、簡易包装用粘着ラベルの一例を基材側から見た平面図である。
【図２】図２は、図１の基材及び連結部位の裏面に粘着剤層が設けられている状態を示した平面図である。
【図３】図３は、図２の粘着剤層４の表面に剥離シート５を積層した状態を示す平面図である。
【図４】図４は、簡易包装用粘着ラベルの他の一例を基材側から見た平面図である。
【図５】図５は、簡易包装用台紙の一例が折り重ねられていない状態の平面図である。
【図６】図６は、簡易包装用台紙の他の一例が折り重ねられていない状態の平面図である。
【図７】図７は、簡易包装用台紙のその他の一例が折り重ねられていない状態の平面図である。
【図８】図８は、簡易包装用台紙を折り曲げ線で折り曲げて、２つの台紙部の間にＣＤ又はＤＶＤ１３を挟むことを示した斜視図である。
【図９】図９の左図は、図８で示した２つの台紙部８でＣＤ又はＤＶＤを挟んだ後、それらの外側の全体をラッピングフィルム１４で封じた送付物の平面図である。図９の右図は、図９の左図の送付物の矢印方向Ａに切断した場合の送付物の側面断面図の模式図である。
【図１０】図１０は、簡易包装用台紙を折り曲げ線で折り曲げて、２つの台紙部の間にＣＤ又はＤＶＤを挟むことを示した斜視図である。
【図１１】図１１の左図は、図１０で示した２つの台紙部でＣＤ又はＤＶＤを挟んだ後、簡易包装用粘着ラベルを貼付して得られる返送物の平面図である。図１１の右図は、図１１の左図の返送物の矢印方向Ａに切断した場合の返送物の側面断面図の模式図である。
【図１２】図１２は、簡易包装用台紙を折り曲げ線で折り曲げて、２つの台紙部の間にＣＤ又はＤＶＤを挟むことを示した斜視図である。
【図１３】図１３の左図は、図１２で示した２つの台紙部でＣＤ又はＤＶＤを挟んだ後、簡易包装用粘着ラベルを貼付して得られる返送物の平面図である。図１３の右図は、図１３の左図の返送物の矢印方向Ａに切断した場合の返送物の側面断面図の模式図である。
【符号の説明】
【００４５】
１  基材
２  連結部位
３  折り曲げ線
４  粘着剤層
５  剥離シート
６  剥離シート
７  切り込み線
８  台紙部
９  折り曲げ線
１０  保持部位
１１  簡易包装用粘着ラベル
１２  簡易包装用台紙
１３  ＣＤ又はＤＶＤ
１４  ラッピングフィルム
１５  切り込み
１６  切り欠き
１７  パンチング
１８  ミシン目
１９  ＣＤケース又はＤＶＤケース
【図１】
2009137604.tif 000003
【図２】
2009137604.tif 000004
【図３】
2009137604.tif 000005
【図４】
2009137604.tif 000006
【図５】
2009137604.tif 000007
【図６】
2009137604.tif 000008
【図７】
2009137604.tif 000009
【図８】
2009137604.tif 000010
【図９】
2009137604.tif 000011
【図１０】
2009137604.tif 000012
【図１１】
2009137604.tif 000013
【図１２】
2009137604.tif 000014
【図１３】
2009137604.tif 000015